(57)【要約】【課題】ユーザーにとって操作が容易な手段を提供すること。【解決手段】システム１は、スマートフォン２０１と、プロジェクター１０１と、を備え、スマートフォン２０１の映像又は音声を、プロジェクター１０１で再生する。プロジェクター１０１は、映像又は音声を、第１無線通信により受信する。プロジェクター１０１は、操作を受け付けるためのコントローラー１０４により受け付けた操作指令を、第２無線通信によりスマートフォン２０１に送信する。スマートフォン２０１は、プロジェクター１０１から送信される、操作指令を受信し、受信した前記操作指令に従った処理を実行する。【選択図】図１
2022003725.tif 000002
【特許請求の範囲】
【請求項１】
第１電子機器と、第２電子機器と、を備え、
前記第１電子機器の映像又は音声を、第２電子機器で再生するシステムであって、
前記第２電子機器は、
映像又は音声を、第１無線通信により受信し、
操作を受け付けるためのコントローラーにより受け付けた操作指令を、第２無線通信により前記第１電子機器に送信し、
前記第１電子機器は、
前記第２電子機器から送信される、前記操作指令を受信し、
受信した前記操作指令に従った処理を実行することを特徴とするシステム。
【請求項２】
前記コントローラーは、距離センサーを備えることを特徴とする請求項１に記載のシステム。
【請求項３】
前記コントローラーは、前記距離センサーにより、対象物との距離に応じた値を出力することを特徴とする請求項２に記載のシステム。
【請求項４】
前記第２電子機器は、前記コントローラーにより出力された値に基づいて、前記操作指令を判断する制御部をさらに備えることを特徴とする請求項３に記載のシステム。
【請求項５】
前記第２電子機器は、プロジェクターであることを特徴とする請求項１〜４のいずれか１項に記載のシステム。
【請求項６】
前記第２電子機器は、フルレンジのスピーカーユニットであるフルレンジスピーカーと、ウーファーと、を備え、
前記フルレンジスピーカーと前記ウーファーとの放音方向は、前記第２電子機器の設置面に対して、直交する方向であることを特徴とする請求項１〜５のいずれか１項に記載のシステム。
【請求項７】
前記フルレンジスピーカー、及び、前記ウーファーの放音側に対向して、それぞれ、ディフューザーが配置されていることを特徴とする請求項６に記載のシステム。
【請求項８】
前記第２電子機器は、映写部とスピーカーとを備え、
前記映写部の映写方向と、前記スピーカーの放音方向とは、一致していることを特徴とする請求項１〜５のいずれか１項に記載のシステム。
【請求項９】
前記第２電子機器は、映写部と、前記映写部からの映像を拡大するためのワイドコンバージョンレンズと、を備えることを特徴とする請求項１〜５のいずれか１項に記載のシステム。
【請求項１０】
前記第１電子機器には、星の映像と音楽とを再生する再生アプリケーションがインストールされており、
前記第２電子機器は、前記再生アプリケーションによる星の映像と音楽とを再生することを特徴とする請求項１〜９のいずれか１項に記載のシステム。
【請求項１１】
前記再生アプリケーションにより表示される画面において、操作画面が中央に配置されていることを特徴とする請求項１０に記載のシステム。
【請求項１２】
前記第１無線通信は、Bluetooth（登録商標）規格であることを特徴とする請求項１〜１１のいずれか１項に記載のシステム。
【請求項１３】
前記第２無線通信は、Wi-Fi規格であることを特徴とする請求項１〜１２のいずれか１項に記載のシステム。
【請求項１４】
請求項１〜１３のいずれか１項に記載の第１電子機器。
【請求項１５】
請求項１〜１３のいずれか１項に記載の第２電子機器。
【発明の詳細な説明】
【技術分野】
【０００１】
本発明は、電子機器の映像又は音声を他の電子機器で再生するシステムに関する。
【背景技術】
【０００２】
従来、Google（登録商標） Chromecast（登録商標）に対応した製品においては、例えば、スマートフォンに表示される画面を、テレビ等のモニターにミラーリングすることが可能である（非特許文献１参照。）。このようなシステムにおいて、外部からの操作は、専用のアプリケーション等がない限り、難しい。また、HDMI（登録商標）-CEC対応のリモートコントローラーで操作可能な場合もあるが、再生、一時停止等の限られた操作に限られる。なお、ミラーリングにおいては、スマートフォンの表示画面（映像）に加え、音声も、モニターで再生される場合がある。
【先行技術文献】
【非特許文献】
【０００３】
【非特許文献１】アプリオ編集部、“Chromecast（クロームキャスト）の使い方・設定とできること 総まとめ”、[online]、2019年7月19日、株式会社Vellio、2020年5月27日検索、インターネット〈URL：https://appllio.com/chromecast-perfect-guide〉
【発明の概要】
【発明が解決しようとする課題】
【０００４】
上述したように、電子機器（例えば、スマートフォン）の映像又は音声を、他の電子機器（例えば、テレビ）で再生するシステムにおいては、外部からの操作が難しいという問題があった。
【０００５】
本発明の目的は、ユーザーにとって操作が容易な手段を提供することである。
【課題を解決するための手段】
【０００６】
第１の発明のシステムは、第１電子機器と、第２電子機器と、を備え、前記第１電子機器の映像又は音声を、第２電子機器で再生するシステムであって、前記第２電子機器は、映像又は音声を、第１無線通信により受信し、操作を受け付けるためのコントローラーにより受け付けた操作指令を、第２無線通信により前記第１電子機器に送信し、前記第１電子機器は、前記第２電子機器から送信される、前記操作指令を受信し、受信した前記操作指令に従った処理を実行することを特徴とする。
【０００７】
本発明では、映像又は音声を再生する第２電子機器がコントローラーを備えており、コントローラーにより受け付けた操作指令が、第２無線通信により、第１電子機器に送信される。これにより、ユーザーは、第１電子機器以外でも操作が可能となるため、ユーザーによる操作が容易となる。
【０００８】
第２の発明のシステムは、第１の発明のシステムにおいて、前記コントローラーは、距離センサーを備えることを特徴とする。
【０００９】
本発明では、コントローラーは、距離センサーを備えているため、ユーザーは、距離センサーに指を反応させることで、操作を行うことができる。従って、例えば、ユーザーは、第２電子機器の筐体等に触れる必要がないため、第２電子機器からの映像がぶれることがない。また、リモートコントローラーが不要となるため、リモートコントローラーを紛失するというリスクが低減する。
【００１０】
第３の発明のシステムは、第２の発明のシステムにおいて、前記コントローラーは、前記距離センサーにより、対象物との距離に応じた値を出力することを特徴とする。
【００１１】
第４の発明のシステムは、第３の発明のシステムにおいて、前記第２電子機器は、前記コントローラーにより出力された値に基づいて、前記操作指令を判断する制御部をさらに備えることを特徴とする。
【００１２】
第５の発明のシステムは、第１〜第４のいずれかの発明のシステムにおいて、前記第２電子機器は、プロジェクターであることを特徴とする。
【００１３】
第６の発明のシステムは、第１〜第５のいずれかの発明のシステムにおいて、前記第２電子機器は、フルレンジのスピーカーユニットであるフルレンジスピーカーと、ウーファーと、を備え、前記フルレンジスピーカーと前記ウーファーとの放音方向は、前記第２電子機器の設置面に対して、直交する方向であることを特徴とする。
【００１４】
第７の発明のシステムは、第６の発明のシステムにおいて、前記フルレンジスピーカー、及び、前記ウーファーの放音側に対向して、それぞれ、ディフューザーが配置されていることを特徴とする。
【００１５】
第８の発明のシステムは、第１〜第５のいずれかの発明のシステムにおいて、前記第２電子機器は、映写部とスピーカーとを備え、前記映写部の映写方向と、前記スピーカーの放音方向とは、一致していることを特徴とする。
【００１６】
第９の発明のシステムは、第１〜第５のいずれかの発明のシステムにおいて、前記第２電子機器は、映写部と、前記映写部からの映像を拡大するためのワイドコンバージョンレンズと、を備えることを特徴とする。
【００１７】
第１０の発明のシステムは、第１〜第９のいずれかの発明のシステムにおいて、前記第１電子機器には、星の映像と音楽とを再生する再生アプリケーションがインストールされており、前記第２電子機器は、前記再生アプリケーションによる星の映像と音楽とを再生することを特徴とする。
【００１８】
第１１の発明のシステムは、第１０の発明のシステムにおいて、前記再生アプリケーションにより表示される画面において、操作画面が中央に配置されていることを特徴とする。
【００１９】
第１２の発明のシステムは、第１〜第１１のいずれかの発明のシステムにおいて、前記第１無線通信は、Bluetooth（登録商標）規格であることを特徴とする。
【００２０】
第１３の発明のシステムは、第１〜第１２のいずれかの発明のシステムにおいて、前記第２無線通信は、Wi-Fi規格であることを特徴とする。
【００２１】
第１３の発明の第１電子機器は、第１〜第１２のいずれかの発明の第１電子機器である。
【００２２】
第１４の発明の第２電子機器は、第１〜第１２のいずれかの発明の第１電子機器である。
【発明の効果】
【００２３】
本発明によれば、ユーザーによる操作が容易となる。
【図面の簡単な説明】
【００２４】
【図１】本発明の実施形態に係るシステムの構成を示す図である。
【図２】距離センサーを用いたコントローラーの一例を示す図である。
【発明を実施するための形態】
【００２５】
以下、本発明の実施形態について説明する。図１は、本発明の実施形態に係るシステム１の構成を示す図である。システム１は、スマートフォン２０１（第１電子機器）と、プロジェクター１０１（第２電子機器）と、を備える。システム１は、スマートフォン２０１の映像又は音声を、プロジェクター１０１で再生する（いわゆるミラーリング）。
【００２６】
プロジェクター１０１は、ＭＣＵ（Micro Control Unit）１０２、ＢＴモジュール１０３、コントローラー１０４、制御回路１０５、ワイドコンバージョンレンズ１０６、開閉蓋１０７、ＤＳＰ（Digital Signal Processor）１０８、増幅器１０９、スピーカー１１０等を備える。
【００２７】
ＭＣＵ１０２（制御部）は、コントローラー１０４からの出力に基づいて、操作コマンド（操作指令）を判断し、判断した操作コマンドを、ＢＴモジュール１０３を介して、スマートフォン２０１に送信する。ＢＴモジュール１０３は、スマートフォン２０１等の外部装置と、Bluetooth（登録商標）規格（第１無線通信）に従った通信を行うためのモジュールである。プロジェクター１０１とスマートフォン２０１とは、例えば、HID（Human Interface Device Profile）、及び、BLE（Bluetooth Low Energy）に従った通信を行う。
【００２８】
コントローラー１０４は、操作を受け付けるためのものである。コントローラー１０４は、距離センサーを備える。距離センサーは、例えば、赤外線距離センサーである。図２は、距離センサーを用いたコントローラー１０４の一例を示す図である。コントローラー１０４は、例えば、カーソルキー、決定キー等を有する。コントローラー１０４（距離センサー）は、対象物（ここでは、各キーに載置されたユーザーの指）との距離に応じた値を、ＭＣＵ１０２に出力する。例えば、上カーソルキーにユーザーの指が載置された場合と、下カーソルキーにユーザーの指が載置された場合とで、コントローラー１０４が、ＭＣＵ１０２に出力する値が異なる。ＭＣＵ１０２は、各キーに応じた値を記憶しており、記憶している値と、コントローラー１０４から出力された値と、に基づいて、操作コマンド（操作指令）（上移動、決定など）を判断する。
【００２９】
制御回路１０５は、開閉蓋１０７の開閉に基づいて、プロジェクター１０１の電源のオン／オフ等の制御を行う。ワイドコンバージョンレンズ１０６は、映像をスクリーン等に映写する映写部からの映像を、拡大して出力する。開閉蓋１０７は、ワイドコンバージョンレンズ１０６を、開放、及び、閉鎖するための蓋である。制御回路１０５は、開閉蓋１０７が閉じた状態から、開いた状態となったときに、プロジェクター１０１の電源をオンとする。逆に、制御回路１０７は、開閉蓋１０７が開いた状態から、閉じた状態となったときに、プロジェクター１０１の電源をオフとする。
【００３０】
ＤＳＰ１０８は、音声信号に、イコライジング等の各種の音声信号処理を行う。増幅器１０９（アンプ）は、音声信号を増幅する。スピーカー１１０は、増幅器１０９により増幅された音声信号に基づいて、音声を出力する。スピーカー１１０は、例えば、フルレンジのスピーカーユニット（以下、「フルレンジスピーカー」という。）と、ウーファーと、を有する。図示しないが、例えば、ウーファーとフルレンジスピーカーとは、上下方向に並べて配置されている。上方にウーファーが位置し、下方にフルレンジスピーカーが位置する。ウーファーとフルレンジスピーカーとは、放音側が対向するように配置される。すなわち、ウーファーは、放音側が下向きとなるように配置され、フルレンジスピーカーは、放音側が上向きとなるように配置される。また、ウーファーの放音側に対向して、ディフューザーが配置されている。フルレンジスピーカーの放音側に対向して、ディフューザーが配置されている。
【００３１】
上述したように、ウーファーとフルレンジスピーカーとを対向して配置することで、小型ユニットを至宝に配置する構成と同様の体積で、再生帯域を広くすることができる。また、フルレンジスピーカーとウーファーとの放音方向は、プロジェクター１０１の設置面に対して、直交する方向（上下方向）である。
【００３２】
ここで、映像を映写する映写部は、映像を天井に映写するため、上方向を向いている。すなわち、映像の映写方向は、上下方向であり、音声の放音方向も、上下方向であり、映像の映写方向と、音声の放音方向とは、一致している。
【００３３】
また、プロジェクター１０１は、映像又は音声を、Wi-Fi（第２無線通信）により受信する。
【００３４】
スマートフォン２０１は、プロジェクター１０１から送信される、操作コマンドを受信する。スマートフォン２０１は、受信した操作コマンドに従った処理を実行する。実行する処理は、例えば、カーソルの移動、再生／停止等である。
【００３５】
本実施形態に係るプロジェクター１０１は、例えば、天井などに星を映し出すことで、プラネタリウムとして機能する。なお、家庭用プラネタリウムには、ピンホール式と光学式とがあり、いずれも、穴が設けられた原盤に光を通過させ、天井などに星を広げる構造となっている。ここで、プロジェクター１０１において、星を投影しながら、音楽を再生することを考える。従来の家庭用プラネタリウムにおいて、星の投影と、音楽再生と、の連携がされているものはない。
【００３６】
本実施形態では、プラネタリウムにおいて、星の投影と、音楽再生と、の連携を図るため、スマートフォン２０１には、星の映像と音楽とを再生する再生アプリケーションがインストールされている。再生アプリケーションにおける星の映像は、例えば、楽曲を星に模して作成された星空の映像となっている。プロジェクター１０１は、再生アプリケーションによる星の映像と音楽とを再生する。
【００３７】
従来の音楽再生アプリケーションでは、長方形の画面での操作を想定したデザインとなっているため、プラネタリウムのように、天井一面に拡大した画面を映し出すと、操作性が損なわれる。このため、本実施形態では、再生アプリケーションにおいて、操作画面が、中央に配置されている。これにより、プロジェクター１０１によって、投影されて、画面の外側が大きく歪んでしまっても、操作画面は、中央に配置されているため、操作性が維持される。
【００３８】
上述したワイドコンバージョンレンズ１０６の拡大率は、例えば、４倍であり、ワイドコンバージョンレンズ１０６により、天井一面に星空が投影される。
【００３９】
以上説明したように、本実施形態では、映像又は音声を再生するプロジェクター１０１がコントローラー１０４を備えており、コントローラーにより受け付けた操作コマンド（指令）が、Bluetooth（登録商標）により、スマートフォン２０１に送信される。これにより、ユーザーは、スマートフォン２０１以外でも操作が可能となるため、ユーザーによる操作が容易となる。
【００４０】
また、本実施形態では、コントローラー１０４は、距離センサーを備えているため、ユーザーは、距離センサーに指を反応させることで、操作を行うことができる。従って、例えば、ユーザーは、プロジェクター１０１の筐体等に触れる必要がないため、プロジェクター１０１からの映像がぶれることがない。また、リモートコントローラーが不要となるため、リモートコントローラーを紛失するというリスクが低減する。
【００４１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４２】
上述の実施形態では、第１電子機器として、スマートフォン、第２電子機器として、プロジェクターを例示したが、これらに限られない。
【００４３】
上述の実施形態においては、センサーとして、距離センサーを例示した。これに限らず、他のセンサーであってもよい。
【産業上の利用可能性】
【００４４】
本発明は、電子機器の映像又は音声を他の電子機器で再生するシステムに好適に採用され得る。
【符号の説明】
【００４５】
１  システム
１０１  プロジェクター（第２電子機器）
１０２  ＭＣＵ（制御部）
１０３  ＢＴモジュール
１０４  コントローラー
２０１  スマートフォン（第１電子機器）
【図１】
2022003725.tif 000003
【図２】
2022003725.tif 000004